(57)【要約】      （修正有）【課題】簡単にブドウ等の花冠（花かす）を取り除くことができる花冠取り器を提供する。【解決手段】花冠取り器は、上方が開口した容器１の上部内側の周囲にブラシ３の毛体３２の先端が容器中心に向くようにブラシが配置されて構成されている。ブラシ３の毛体３２により花冠（花かす）５を取り除き、容器１内に入れた薬液４によりジベレリン処理を行う。【選択図】図３
0003129972.tif 000002
【実用新案登録請求の範囲】
【請求項１】
上方が開口した容器の上部内側の周囲にブラシの毛体の先端が容器中心に向くようにブラシが配置されており、ブラシの毛体で花冠を取り除くことを特徴とする花冠取り器。
【請求項２】
前記容器は薬液を入れてジベレリン処理を行なえることを特徴とする請求項１に記載の花冠取り器。
【請求項３】
前記ブラシは複数段配置されていることを特徴とする請求項１又は２に記載の花冠取り器。
【請求項４】
前記容器の上部内周面に支持板が設けられており、該支持板にブラシが着脱自在に取り付けられていることを特徴とする請求項１ないし３のいずれかに記載の花冠取り器。
【請求項５】
前記容器の上部に支持板が着脱自在に取り付けられており、該支持板にブラシが着脱自在に取り付けられていることを特徴とする請求項１ないし３のいずれかに記載の花冠取り器。
【請求項６】
前記容器は透明または半透明の材質で構成されていることを特徴とする請求項１ないし５のいずれかに記載の花冠取り器。
【請求項７】
筒体の内側周囲にブラシの毛体の先端が筒体中心に向くようにブラシが配置されており、ブラシの毛体で花冠を取り除くことを特徴とする花冠取り器。
【考案の詳細な説明】
【技術分野】
【０００１】
本考案は、農業分野で花冠（花かす）を取り除くのに用いられる花冠取り器に関し、特に、ブドウの花冠（花かす）取りに用いられる花冠取り器に関する。
【背景技術】
【０００２】
ブドウの落花期に花冠（花かす）が残るとそこに灰色かび病菌が付着し、傷果や裂果の発生原因となったり、成熟期には裂果した部分や傷口から菌が侵入して発病したり、貯蔵中にも果実腐敗をおこすおそれがあるため、できるだけ早い時期に幼果から花冠（花かす）を取り除く必要がある。
【０００３】
しかし、開花期には、ジベレリン処理、摘心、誘引、花穂整形（房作り）及び薬剤散布など多くの管理作業を並行して行わなければならないため、花冠（花かす）を取り除く花冠取り作業は遅れがちになる。また、花冠取り作業は着果したすべての果房に対して実施する必要があるため、大変手間のかかる作業である。
【０００４】
ところで、ジベレリン処理に関しては、ブドウに薬液を噴霧してその作業を簡単に行うようにしたり（特許文献１）、また、薬液がカップ外にこぼれにくくしたりする工夫がなされている（特許文献２）。
【０００５】
しかし、花冠取り作業については、効率的で、しかも簡易に花冠（花かす）を取り除く作業ができるものが提案されておらず、多くの農家では、手で１果房ごとにしごいて花冠（花かす）を取り除いたり、刷毛やブラシで１果房ごとに花冠（花かす）を取り除いている。また、エアーコンプレッサーやブロアーで１果房ごとの花冠（花かす）を吹き飛ばす方法もある。
【０００６】
【特許文献１】実公昭４８−４０５２６号公報
【特許文献２】実願昭５５−７６４６５号（実開昭５７−１５３７号）のマイクロフイルム
【考案の開示】
【考案が解決しようとする課題】
【０００７】
手でしごいたり、刷毛やブラシで１果房ごとにブドウの花冠（花かす）を取る方法では、ブドウは棚栽培されているため、棚から垂れ下がっているブドウの花穂に対する管理には長時間両腕を上げた状態での作業を強いられ、また、小果（幼果）を落とさないように花冠（花かす）のみを取り除くには、細やかな刷毛等の操作が必要となり集中力を要するため、花冠（花かす）を刷毛で取る方法は作業者にとっては重労働である。また、エアーコンプレッサーやブロアーで花冠（花かす）を吹き飛ばす方法は、エアーコンプレッサー等の比較的重量のある装置を果樹園地内で運搬する必要があり、また、それを駆動するための動力源を確保する必要があるため、花冠（花かす）を吹き飛ばす方法は簡易に行うことができない。また、高圧の空気により小果（幼果）にダメージを及ぼすこともある。さらに、これら従来技術における花冠取り方法では、花冠取り作業をジベレリン処理の２回目の前段階に実施することが多く、この時期に行う他の管理作業の進捗状態によっては花冠（花かす）取り作業の時期が遅れ、花冠（花かす）取り作業時にはすでに灰色かび病が感染・発病したり、傷果が発生する危険性がある。
【０００８】
本考案は、上記のような問題を解決するためのものであり、簡単にブドウの花冠（花かす）を取り除くことができる花冠取り器を提供することを目的とする。
【課題を解決するための手段】
【０００９】
前記目的を達成するために、本考案に係る花冠取り器は、上方が開口した容器の上部内側の周囲に又は筒体の内側周囲にブラシの毛体の先端が容器又は筒体の中心に向くようにブラシが配置されており、ブラシの毛体で花冠（花かす）を取り除くことを特徴としており、容器又は筒体内にブドウの花穂を入れ容器又は筒体を上下動することにより、ブラシの毛体によりブドウの花冠（花かす）を簡単・容易に取り除くことができる。
【００１０】
また、本考案に係る花冠取り器は、容器内に薬液を入れてジベレリン処理を行なえることを特徴としており、容器内の薬液に花穂を浸漬し、花冠（花かす）取り作業と同時にジベレリン処理を行うことができ、花冠（花かす）取り作業とジベレリン処理とを効率的に行うことができる。
【００１１】
また、本考案に係る花冠取り器は、ブラシが複数段配置されていることを特徴としており、複数段のブラシによって花冠（花かす）を効率良く取り除くことができる。
【００１２】
さらに、本考案に係る花冠取り器は、容器の上部に支持板を設け、該支持板にブラシが着脱自在に取り付けられていることを特徴としており、ブラシが損傷したときに簡単にブラシを交換することができ、また複数種のブラシを用意しておくと、ブドウの種類に応じてブラシを選択し、最適なブラシの毛体の長さや弾性力よって、小果（幼果）を落とすことなく花冠（花かす）を取り除くことができる。
【００１３】
さらに、本考案に係る花冠取り器は、容器が透明または半透明の材質で構成されていることを特徴としており、容器内の花穂を見ながら花冠（花かす）取り作業やジベレリン処理を正確に行うことができる。
【考案の効果】
【００１４】
本考案によれば、ブドウの花冠（花かす）取り作業を簡単・容易に行うことができる。また、花冠取り器の容器内にジベレリン処理液を入れ、花冠（花かす）取り作業とジベレリン処理とを同時に実施できるため、開花期の農繁期において大幅な省力・軽労化を図ることができる。
【考案を実施するための最良の形態】
【００１５】
本考案の花冠取り器について図に基づいて説明する。
図１は花冠取り器の実施形態を示す斜視図、図２は要部の断面斜視図である。
上方が開口したコップ状の容器１は、透明または半透明の合成樹脂で形成されており、その上部には容器１内に突出するリング状の支持板２が形成されており、支持板２にはブラシ３が取り付けられている。支持板２はブラシ３を取り付けるための部材としてだけでなく、ジベレリン処理のため容器１内に薬液を入れたときには薬液がこぼれないようにする作用も奏する。
【００１６】
ブラシ３は、外周面に凹溝３３が形成されたリング状の保持体３１の内周面に、毛体３２がその先端が保持体３１の中心を向くように植設されて構成されており、毛体３２の先端は、ブドウの花穂が接触しながら通過できる円形の開口を形成している。毛体３２は、花冠（花かす）を取り除くことができるが、小果（幼果）を落下させない程度の弾性力と長さで構成されている。
【００１７】
保持体３１は弾性体で形成されており、保持体３１の凹溝３３を容器１の支持板２に係止することによりブラシ３が容器１に着脱自在に取り付けられており、ブラシ３の毛体３２が損傷したときには、支持板２から保持体３１を取り外して、新しいブラシ３に取り換えることができる。さらに、ブラシ３は、ブドウの品種に応じた毛体３２の長さや弾性力が異なるものを複数種類用意しておき、ブドウの品種に応じてブラシを取り換えることができる。ブラシ３は、保持体３１と毛体３２とを合成樹脂或いはゴム材等の弾性体で同じ材質で一体形成してもよいし、また、合成樹脂或いはゴム材等の弾性体で構成した保持体３１にシュロ等の繊維や獣毛で構成した毛体３２を植設してもよい。
【００１８】
次に、図３により本考案の花冠取り器による花冠（花かす）取り作業について説明する。容器１内にジベレリン処理するための薬液４を入れ、花穂をブラシ３の先端の開口から容器１内に入れる。そして、容器１を上下動させてブラシ３の毛体３２によって花冠（花かす）５を取り除くと同時に、花穂を容器１内の薬液４に浸漬してジベレリン処理を行う。
【００１９】
本考案の花冠取り器は、無核栽培用のジベレリン処理（特に１回目処理）と花冠（花かす）取り作業を同時に実施できるので、開花期の農繁期において大幅な省力・軽労化が図れる。また、１回目のジベレリン処理のときに本考案の花冠取り器による花冠（花かす）取り作業を実施できるので、花冠（花かす）取り時期の遅れが原因で、灰色かび病が感染・発病したり、傷果が発生することがなく、さらに、花冠（花かす）が取れた状態でジベレリン処理が行われることになるので、ジベレリン処理効果が一層発揮されることになる。
【００２０】
巨峰の無核栽培において、本実施形態の花冠取り器によって花冠取り作業を実施したところ、全花冠の９０％近い花冠を取り除くことができ、その際に小果（幼果）も取れたが全体の約３％であり、実栽培上問題はなかった。なお、花冠取り作業を行わないでジベレリン処理した場合には、花冠は全花冠当たりの１３％程度しか取れなかった。
【００２１】
上記実施形態では、容器１にブラシを設けており、花冠（花かす）取り作業とジベレリン処理とを同時に行えるが、花冠（花かす）取り作業だけを行ってもよい。また、花冠（花かす）取り作業だけが行えればよい場合には円筒体にブラシ３を設けてもよい。
【００２２】
図４は、容器１の支持板へのブラシ３の取り付け構造の他の実施形態を示すものであり、容器１の支持板２ａの先端部（内側部）が下方に折り曲げられて段部２１が形成されている。この段部２１にブラシ３の保持体３１を載せ、弾性部材で構成された押さえ部材２２を容器１内に押し込み、押さえ部材２２でブラシ３を押さえて支持板２に取り付ける。この取り付け構造では、保持体３１を弾性体で構成する必要はなく、また、保持体３１に凹溝を形成する必要もない。
【００２３】
図５は、容器１の支持板へのブラシ３の取り付け構造のさらに他の実施形態を示すものであり、容器１の上部に、支持板２ｂと支持板２ｃとが２段形成されており、これら支持板２ｂと支持板２ｃにブラシ３がそれぞれ取り付けられている。
【００２４】
図６は、容器１へのブラシ３の取り付け構造の実施形態を示すものであり、本実施形態では容器１の上部に、支持板が形成されておらず、支持板２３は容器１とは別体に構成されている。支持板２３は、その外周に円筒体部２４が形成されており、この円筒体部２４を容器１の上部に上方から嵌め込むことにより容器１に着脱自在に取り付けられており、この支持板２３にブラシ３の保持体３１が着脱自在に取り付けられている。本実施形態では、支持板２３にブラシ３を取り付けたままでブラシ３を容器１に簡単に着脱できる。また、本実施形態では、支持板２３にブラシ３を着脱自在に取り付けるように構成しているが、支持板２３とブラシ３の保持体３１を一体に形成してもよい、すなわち、ブラシ３の保持体３１に円筒体部２４を形成してブラシ３を容器１に着脱できるようにしてもよい。
【００２５】
以上、本考案の実施形態について詳述したが、本考案は、前記実施形態に限定されるものではない。また、本考案の特徴的な機能を損なわない限り、各構成要素は上記構成に限定されるものではない。
【００２６】
例えば、花冠取り器の容器の下部に把持部を設け、花冠取り器を持ちやすくしたり、あまり腕を上方に上げなくても作業できるようにしてもよく、また、前記実施形態では、花冠取り器を上下に移動させて花冠（花かす）を取り除いているが、電池で駆動されるモータで容器を回転駆動されるように構成してもよい。
【図面の簡単な説明】
【００２７】
【図１】本考案に係る花冠取り器の実施形態を示す斜視図。
【図２】本実施形態のブラシの取り付け構造を示し、図１のＩＩ−ＩＩの断面斜視図。
【図３】本考案に係る花冠取り器による花冠取り作業を説明するための斜視図。
【図４】本考案に係る花冠取り器のブラシの取り付け構造を示す要部の断面斜視図。
【図５】本考案に係る花冠取り器のブラシの他の取り付け構造を示す要部の断面斜視図。
【図６】本考案に係る花冠取り器のブラシのさらに他の取り付け構造を示す要部の断面斜視図。
【符号の説明】
【００２８】
１…容器、
２，２ａ，２ｂ，２ｃ，２３…支持板、
２１…段部、
２２…押さえ部材、
２４…円筒体部、
３…ブラシ、
３１…保持体、
３２…毛体、
３３…凹溝、
４…薬液、
５…花冠（花かす）
【図１】
0003129972.tif 000003
【図２】
0003129972.tif 000004
【図３】
0003129972.tif 000005
【図４】
0003129972.tif 000006
【図５】
0003129972.tif 000007
【図６】
0003129972.tif 000008